(57)【要約】【課題】車両を降りたユーザが徒歩で複数施設を回ることにまで配慮し、最適な駐車場及び立寄り経路を提示するナビゲーション装置を提供する。【解決手段】複数の目的施設を指示入力できる指示入力手段と、前記指示入力手段により選択された複数の目的施設の周辺にある駐車場を検索する駐車場検索手段と、前記駐車場検索手段で検出した各々の駐車場を起点及び終点とし前記指示入力手段により選択された複数の目的施設を回る立寄り経路を探索する経路探索手段と、前記立寄り経路の中から総経路長が最も短い最短経路を判断する経路判断手段と、前記最短経路をディスプレイ上に提示させる表示制御手段とを含むナビゲーション装置である。【選択図】      図３
2004286519.tif 000002
【特許請求の範囲】
【請求項１】
複数の目的施設を指示入力できる指示入力手段と、前記指示入力手段により選択された複数の目的施設の周辺にある駐車場を検索する駐車場検索手段と、前記駐車場検索手段で検出した各々の駐車場を起点及び終点とし前記指示入力手段により選択された複数の目的施設を回る立寄り経路を探索する経路探索手段と、前記立寄り経路の中から総経路長が最も短い最短経路を判断する経路判断手段と、前記最短経路をディスプレイ上に表示させる表示制御手段とを含む、ナビゲーション装置。
【請求項２】
前記経路探索手段は、前記駐車場検索手段で検出した各々の駐車場を起点及び終点として、前記指示入力手段により選択された複数の目的施設を回る立寄り経路を全て抽出する、請求項１に記載のナビゲーション装置。
【請求項３】
前記経路探索手段は、前記指示入力手段により選択された複数の目的施設を少なくとも包含する円を設定し、該円内に存在する駐車場からの前記立寄り経路を探索する、請求項１に記載のナビゲーション装置。
【請求項４】
前記経路探索手段は、前記指示入力手段により選択された複数の目的施設を少なくとも包含する円を設定して該円内に駐車場が存在しないときには、各目的施設から最寄りとなる補完駐車場を特定し、これらの補完駐車場を起点及び終点として立寄り経路を探索する、請求項１に記載のナビゲーション装置。
【請求項５】
前記表示制御手段は、基点となる所定の駐車場から発して、全目的施設を回り該駐車場に戻る矢印を用いて前記立寄り経路を前記ディスプレイ上に表示する、請求項１ないし４のいずれかに記載のナビゲーション装置。
【請求項６】
外部の情報ステーションから駐車場情報を取得する通信手段をさらに備え、前記目的施設の周辺に存在する駐車場の情報を取得してから、前記経路探索手段が前記立寄り経路を探索する、請求項１ないし４のいずれかに記載のナビゲーション装置。
【請求項７】
前記表示制御手段は、自車位置検出手段からの位置検出信号に基づき自車が前記最短経路で使用する駐車場に入ったときに、前記ディスプレイ上に最短経路を表示させる、請求項１ないし４のいずれかに記載のナビゲーション装置。
【請求項８】
前記指示入力手段により所望の駐車場条件についても入力できるように設定されている、請求項１ないし４のいずれかに記載のナビゲーション装置。
【請求項９】
複数の目的施設を指示入力する立寄り施設選択ステップと、前記施設選択ステップで選択された複数の目的施設の周辺にある駐車場を検索する駐車場検索ステップと、前記駐車場検索ステップで検出した各々の駐車場を起点及び終点とし前記施設選択ステップで選択された複数の目的施設を回る立寄り経路を探索する経路探索ステップと、前記立寄り経路の中から総経路長が最短となる最短経路を判断する経路判断ステップとを含む、ナビゲーション装置における目的施設の立寄り経路探索方法。
【請求項１０】
複数の目的施設を指示入力する立寄り施設選択ステップと、選択された複数の目的施設の周辺にある駐車場を検索する駐車場検索ステップと、前記駐車場検索ステップで検出した各々の駐車場を起点及び終点とし前記施設選択ステップで選択された複数の目的施設を回る立寄り経路を探索する経路探索ステップと、前記立寄り経路の中から総経路長が最短となる最短経路を判断する経路判断ステップと、前記最短経路をディスプレイに矢印を用いて表示させる表示ステップとを含む、ナビゲーション装置における目的施設の立寄り経路表示方法。
【発明の詳細な説明】
【０００１】
【発明の属する技術分野】
本発明は、車両に搭載されるナビゲーション装置に関する。より詳しくは、ユーザが車両を降り徒歩にて近隣施設を回るような場合に、最適な駐車場と最短ルートの提示が行える機能を備えたナビゲーション装置に関する。
【０００２】
【従来の技術】
最近のナビゲーション装置には、目的地とした施設が提携する駐車場や、目的地付近の駐車場を探すことができる機能を備えたものがあり、これらの駐車場をナビゲーションの目的地として設定できる。このような技術に関しては、例えば特許文献１がある。この特許文献１では、目的地の近隣の少なくとも１つの駐車場を検索し、車両が目的地又は駐車場まで所定の距離に達したときに、ディスプレイ上に目的地に向かう経路とその近隣の駐車場への経路も合わせて案内する技術を開示している。また、特許文献２では、ある施設を表示する地図画面上にその施設近隣の提携駐車場等も合わせて表示するようにした技術を開示している。このように施設近くにある駐車場を表示する機能を備えたナビゲーション装置であれば、駐車場探しのためにユーザが時間を浪費するという事態を防止できる。
【０００３】
また、従来のナビゲーション装置には、最終目的地までの途中に立寄り場所（中間目的地）を設定できる機能を備えたものもある。さらに、この立寄りの順序もユーザの好みで任意に設定することを可能としたナビゲーション装置も提案されている。このような立寄り機能を備えた、ナビゲーション装置であれば、ユーザが逐次、地図をチェックすることなく所望の施設に立寄ることができるので大変便利である。
【０００４】
【特許文献１】
特開２００２−２４３４７１号公報
【特許文献２】
特開平１０−８９９８９号公報
【０００５】
【発明が解決しようとする課題】
ところで、旅行先などでは、ユーザの目的地（目的施設）が駅前や繁華街の近くであり道路が混雑しており、さらに立寄りたい他の施設も近くに存在するという場合が多々ある。このような時に、ユーザは道路が混雑していること、少々の距離だけ車を移動させて他の駐車場に停めるとまた駐車料金が掛かること等を懸念して、車を最初の駐車場に停めたままにして徒歩にて近隣の施設を回る。
【０００６】
しかし、従来のナビゲーション装置は、ユーザによるこのような行動にまで配慮したものでなかった。従来のナビゲーション装置は車両を移動させることを前提にして目的施設を探索し、合わせてその提携駐車場あるいは周辺の駐車場を表示する。すなわち、従来のナビゲーション装置は車両を降りて歩くユーザの徒歩経路まで探索し、さらに案内するという点までに配慮した装置となっていない。
【０００７】
よって、現状においては、ユーザは回りたいと考えている複数の施設から任意の一施設を選択してナビゲーション装置の目的地に設定して車両を移動し、その施設或いは近隣の駐車場に車を停車させる。そして、他の施設は徒歩にて回るという前述した行動を取っていたのである。そのため、他の施設が思ったよりも遠く時間を要した、さらには道に迷うというユーザも多く存在した。
【０００８】
このようなユーザの行動例を図１を参照して説明する。図１は、ユーザによる従来の立寄り行動を地図上に示した図である。ユーザは、複数の中から任意に施設▲１▼を選択してナビゲーションの目的地とする。そして、ナビゲーション装置により施設▲１▼に最適な駐車場として駐車場Ｐ▲１▼が選択されることになる。
【０００９】
そこで、ユーザは駐車場Ｐ▲１▼に車を停車して、他に訪問したいと考えていた近隣の施設▲２▼、▲３▼を徒歩で回ることになる。その結果、予想したよりも距離が長く、時間を要するという状況に遭遇する。もちろん、ユーザが予め周辺の地理を十分に検討して、目的地として設定する施設を何処に設定すれば他の施設を効率よく回れるかを認知していればよいが、旅行者などがレンタカーで観光地を訪問したときにはこのような判断を適切に行うことは甚だ困難である。
【００１０】
よって、本発明は上記課題を解決し、車両を降りたあとのユーザが徒歩で複数の施設を回ることにまで配慮し、最適な駐車場を提示すると共に、最短の立寄り経路も提示できるナビゲーション装置を提供することである。
【００１１】
【課題を解決するための手段】
上記目的は請求項１に記載するように、複数の目的施設を指示入力できる指示入力手段と、前記指示入力手段により選択された複数の目的施設の周辺にある駐車場を検索する駐車場検索手段と、前記駐車場検索手段で検出した各々の駐車場を起点及び終点とし前記指示入力手段により選択された複数の目的施設を回る立寄り経路を探索する経路探索手段と、前記立寄り経路の中から総経路長が最も短い最短経路を判断する経路判断手段と、前記最短経路をディスプレイ上に表示させる表示制御手段とを含む、ナビゲーション装置により達成される。
【００１２】
本発明によると、ディスプレイ上に最適な立寄り経路が表示されるので、ユーザは最適な駐車場に車両を駐車でき、しかもこの駐車場から最短の立寄り経路を知ることもできる。よって、ユーザは車両を降りた後に所望した複数施設を効率良く回ることができる。
【００１３】
また、前記経路探索手段が、前記指示入力手段により選択された複数の目的施設を少なくとも包含する円を設定し、該円内に存在する駐車場からの前記立寄り経路を探索するようにすれば、望ましい駐車場を効率的に絞り込むことができる。また、前記経路探索手段による探索で、前記指示入力手段により選択された複数の目的施設を少なくとも包含する円を設定して該円内に駐車場が存在しないときには、各目的施設から最寄りとなる補完駐車場を特定し、これらの補完駐車場を起点及び終点として立寄り経路を探索するようにしておくのが望ましい。
【００１４】
また、前記表示制御手段が、基点となる所定の駐車場から発して、全目的施設を回り該駐車場に戻る矢印を用いて前記立寄り経路を前記ディスプレイ上に表示されていれば、ユーザは立寄り経路を容易に確認できる。さらに、外部の情報ステーションから駐車場情報を取得する通信手段をさらに備え、前記目的施設の周辺に存在する駐車場の情報を取得してから、前記経路探索手段が前記立寄り経路を探索するようにするのが望ましい。この場合、外部からの駐車場情報により満車である駐車場等を排除して、駐車場検索を行えるので現状に即した最適な立寄り経路を設定できる。
【００１５】
前記表示制御手段は、自車位置検出手段からの位置検出信号に基づき自車が前記最短経路で使用する駐車場に入ったときに、前記ディスプレイ上に最短経路を表示させるのがより望ましい。このように構成されていれば、例えばユーザが出発前に最短の立寄り経路を探索して駐車すべき駐車場を確認し、これをナビゲーションの目的地として設定すればよいので便利である。
【００１６】
なお、本発明は、複数の目的施設を指示入力する立寄り施設選択ステップと、前記施設選択ステップで選択された複数の目的施設の周辺にある駐車場を検索する駐車場検索ステップと、前記駐車場検索ステップで検出した各々の駐車場を起点及び終点とし前記施設選択ステップで選択された複数の目的施設を回る立寄り経路を探索する経路探索ステップと、前記立寄り経路の中から総経路長が最短となる最短経路を判断する経路判断ステップとを含む、ナビゲーション装置における目的施設の立寄り経路探索方法、および、複数の目的施設を指示入力する立寄り施設選択ステップと、選択された複数の目的施設の周辺にある駐車場を検索する駐車場検索ステップと、前記駐車場検索ステップで検出した各々の駐車場を起点及び終点とし前記施設選択ステップで選択された複数の目的施設を回る立寄り経路を探索する経路探索ステップと、前記立寄り経路の中から総経路長が最短となる最短経路を判断する経路判断ステップと、前記最短経路をディスプレイに矢印を用いて表示させる表示ステップとを含む、ナビゲーション装置における目的施設の立寄り経路表示方法として上記目的を達成できる。
【００１７】
【発明の実施の形態】
以下、図面に基づいて本発明の好ましい一実施形態のナビゲーション装置について説明する。本発明の実施形態に係るナビゲーション装置は、ユーザが車両を１つの駐車場に停車させ、近隣の複数施設を徒歩にて回る際に、最適な駐車場を提示すると共に効率的な徒歩経路（立寄り経路）を提示するとい機能を備えている。本ナビゲーション装置における、立寄り経路に関して最適な駐車場およびルートを提示するという機能は、ナビゲーション装置が本来的に備える地図データ、施設データ、駐車場データ並びに目的地探索機能、ルート探索機能、駐車場検索機能等を流用することにより実現できる。よって、本ナビゲーション装置が備える一般的な構成を概略説明した後に、特徴的な構成について詳細に説明することとする。
【００１８】
図２は、実施形態に係るナビゲーション装置１が有する構成を示したブロック図である。本ナビゲーション装置１は、ＧＰＳ受信機１１、自立航法用センサ１２、操作パネル１３、音声入力部１４、リモコン操作部１５、入力制御部１６、地図データ、施設データ、駐車場データ等を記憶する記憶部１７、案内文制御部１８、スピーカ１９、画像表示制御部２０、ディスプレイ２１、プログラムメモリ２２、データメモリ２３、および各部を総合的に制御する制御部２４を含んでいる。
【００１９】
ＧＰＳ受信機１１および自立航法用センサ１２は自車位置検出手段を構成する。ＧＰＳ受信機１１は、人工衛星（ＧＰＳ衛星）からの電波を受信し車両の現在位置と現在方位を測定する。自立航法用センサ１２には、車両の移動距離を検出する車速センサや車両の回転角度を検出する角度センサが採用される。ＧＰＳ受信機１１および自立航法用センサ１２の出力信号は制御部２４に供給され、制御部２４はこれらの出力信号に基づき車両の現在位置および方位を算出できるようになっている。
【００２０】
操作パネル１３、音声入力部１４およびリモコン操作部１５は、ナビゲーション装置の指示入力手段を構成している。ユーザは、これらの入力を介してナビゲーション装置に対して目的地までのルートの検索、ディスプレイ画面の設定変更等の各種の指示や設定を与える。操作パネル１３として、例えば、ディスプレイ２１の下部に設けられた複数の操作キー２１ａを用いることができる。音声入力部１４は、図示されない音声入力マイクからユーザの音声入力を入力制御部１６へ伝達し、ここで音声アナログ信号をデジタル信号に変換する。リモコン操作部１５は複数の入力キーを含み、ユーザが入力キーを操作したとき、その情報が無線を通して入力制御部１６に伝達される。入力制御部１６は、操作パネル１３、音声入力部１４、リモコン操作部１５に接続され、ユーザにより入力された入力情報を制御部２４に伝える。
【００２１】
記憶部１７は、ＣＤ、ＤＶＤ、あるいはハードディスク等の記録媒体であって、ナビゲーション装置に必要とされる地図、道路、交差点、案内表示用のパターン、住所、電話、施設、駐車場等のデータを記憶している。
【００２２】
上記記憶部１７は、ハードディスクを用いることにより、大容量の記憶を実現可能とし、高速なアクセスおよびデータの書き換えを可能にすることが望ましい。さらに、図示するように、この記憶部１７に記憶されるデータは外部の情報ステーション３０と通信を介して更新できるように構成しておくことがより好ましい。例えば図２に示すように、携帯電話３６を信号入力インターフェース３５を介して、情報ステーション３０に接続するような構成とする。この情報ステーション３０から駐車場の満車情報や、屋外型あるいは屋内型であるかの形態情報等を取得できるようにする。
【００２３】
案内文制御部１８はスピーカ１９に接続され、制御部２４の制御に基づいてスピーカ１９から所定の音声を出力させる。例えば、目的地に到達するまでの情報として、交差点の手前で進路方向の注意を促す音声を出力をしたり、あるいは、ユーザがナビゲーション装置に対して対話形式で入力を行うときに、ユーザに対して操作入力に関して必要な指示を音声で与える。
【００２４】
画像表示制御部２０はディスプレイ２１に接続され、制御部２４の制御によりディスプレイ２１に地図を表示したり、あるいは地図上に、車両の現在位置を示す車両マークや目的地までのルート、交差点等の分岐点での案内表示、車両の移動軌跡、駐車場、施設等を合成させる。さらに、画像表示制御部２０はユーザによって操作パネル１３等から入力された指示や操作に関する情報がある場合、その情報を地図上にあるいはそれとは別の画面上に表示させる。画像表示制御部２０は、好ましくはＦＩＦＯ等のＶＲＡＭを含み、記憶部１７から読み出された地図、道路、駐車場、施設、案内表示に関するデータをＶＲＡＭに記憶する。
【００２５】
プログラムメモリ２２は、ナビゲーション装置において実行される各種プログラムを記憶している。例えば、目的地までの経路を探索する経路探索プログラム２２ａ、ディスプレイ２１上に描画される地図、駐車場、施設、建物等の設定・変更・編集等を行う表示設定プログラム２２ｂ、あるいは地図上の車両位置を補正するマッチングする車両位置補正プログラム２２ｃ等がプログラムメモリ２２に記憶されている。プログラムメモリ２２は、ＲＯＭあるいはＲＡＭ等のメモリを用いて構成される。
【００２６】
データメモリ２３は、例えば制御部２４によって処理された演算結果や記憶部１７から読み出したデータを記憶する。例えば、記憶部１７から読み出した地図に関するものを地図データ２３ａとして記憶する。さらに記憶部１７から読み出した駐車場の位置に関するデータを駐車場データ２３ｂとして記憶し、施設に関するデータを施設データ２３ｃ等として記憶している。
【００２７】
さらに、データメモリ２３には、制御部２４により目的地までの経路の探索処理を行ったときに、その探索結果を案内経路データ２３ｄに記憶したり、あるいは案内経路上に交差点がある場合、記憶部１７から読み出した交差点データ２３ｃや交差点における分岐点案内表示データ２３ｅを記憶する。データメモリ２３としては、ＤＲＡＭやＳＲＡＭを用いることができ、不揮発性のフラッシュメモリを用いてもよい。
【００２８】
記憶部１７に記憶される地図データ２３ａは、所定の経緯度で区切られた図葉を単位とし、各図葉の地図データには図葉番号が付与され、図葉番号を指定することで特定の図葉の地図データを読み出すことができる。各図葉の地図データには、地図表示に必要な描画データと、道路標示やマップマッチング、経路探索等の処理に必要な道路データと、交差点に関する交差点データが含まれる。
【００２９】
前述したようにデータメモリ２３中には、地図データ２３ａ、駐車場データ２３ｂ及び施設データ２３ｃ等を含んでいる。そして、本ナビゲーション装置１では、特に制御部２４が上記３つのデータ２３ａ〜２３ｃを関連づけ、例えば、前記操作キー２１ａによりユーザが選択入力した施設を徒歩で回る際の最適駐車場と最適経路を特定してディスプレイ２１上に表示させる従来にない機能を備えている。本ナビゲーション装置１は、徒歩で回る程度に隣接した施設を効率よく回るルート（立寄り経路）を提示するという補助機能を備えている。そして、この補助ナビゲーション機能は、図２に示した本ナビゲーション装置１が有する構成をそのまま利用して実現されている。
【００３０】
図３は、特に立寄り経路を提示する機能に着目した場合のナビゲーション装置１の機能ブロックで示した図である。ハード構成は図２に示しているので、同一部分には同一の符号を付している。指示入力手段となる操作パネル１３、音声入力部１４、リモコン１５、また出力側のスピーカ１９、ディスプレイ２１、また入力制御部１６、記憶部１７、案内文制御部１８、画像表示制御部２０はこの図３にも同様に示されている。なお、図３で示す他のブロックは特に説明をした場合を除いて、図２で示した制御部２４により実現される。
【００３１】
図３を参照して、ナビゲーション装置１による立寄り経路を提示機能について説明する。例えば指示入力手段の１つであるリモコン１５によりユーザは所望の立寄り施設を複数入力できる。リモコン１５からの入力信号は入力制御部１６を介して施設メモリ部２４１に格納される。この施設メモリ部２４１から駐車場検索を実行する駐車場検索部２４２と立寄り経路を探索する経路探索部２４５に信号が供給される。
【００３２】
駐車場検索部２４２は記憶部１７の駐車場データを用いて、ユーザが選択した施設の周辺にある駐車場を特定して、経路探索部２４５にその情報を供給する。経路探索部２４５は記憶部１７の施設データ及び駐車場検索部２４２で特定された各駐車場を起点および終点とし、ユーザが選択した複数の施設を回る立寄り経路を全て探索して、その結果を経路判断部２４６に供給する。経路判断部２４６では、前記立寄り経路の中から総経路長が最短となる最短経路を判断する。
【００３３】
経路判断部２４６で判断された最短経路は、立寄り経路情報メモリ部２４７を介して、画像表示制御部２０および案内文制御部１８に供給される。ディスプレイ２１上には画像表示制御部２０により制御された所定の立寄り経路図が表示され、また、スピーカ１９からは案内文制御部１８により制御された所定の音声案内がなされる。
【００３４】
図４は本ナビゲーション装置１により立寄り経路を探索した際にディスプレイに表示される地図画面の例を示した図である。経路探索部２４５が探索を行う場合には、ユーザが選択した施設（図１と同様に施設▲１▼〜▲３▼）が少なくも包含される円ＣＲを設定する。そして、この円ＣＲ内の駐車場を起点および終点とした全ての経路を抽出する。図４の場合では駐車場Ｐ▲１▼は円ＣＲ外となるので外される。このように円ＣＲを用い、この円内の駐車場に対象を絞ることで遠方にある駐車場を効果的に排除する。そして、経路探索部２４５は、図５に示すように、駐車場Ｐ▲２▼〜▲４▼の各々を起点および終点とする立寄り経路を全て抽出する。
【００３５】
本ナビゲーション装置１は記憶部１７に道路データも備えているので、各立ち寄り経路の総経路長（ｋｍ）を容易に算出でき、また徒歩で進む速度を１ｋｍ当たり１５分として立寄りに要する合計時間（ｍｉｎ）も算出する。そして、経路判断部２４６は、駐車場Ｐ▲３▼を起点とする最短のルートＮ０７（図５参照）を最適と判断する。この結果に基づいて、ディスプレイ上に表示されるのが図４に示す地図ということになる。本ナビゲーション装置１の画像表示制御部２０は経路判断部２４６の結果に基づいて、基準となる駐車場Ｐ▲３▼から施設▲１▼、施設▲２▼、施設▲３▼の順で立寄る経路を矢印で示す。よって、ユーザはどの駐車場を選択すればよいか確認でき、また、最適な立寄り経路（ルート）も容易に確認できる。
【００３６】
本ナビゲーション装置１の立寄り経路検索は、例えば旅行先に出発前に実施すると、提示された駐車場（例えば図４の駐車場Ｐ▲３▼）をナビゲーションの目的地として設定できる。このときは、図２に示したＧＰＳ受信機１１、自立航法用センサ１２により自車位置の検出がなされ、駐車場Ｐ▲３▼を目的とした通常のナビゲーションが実行される。そして、車両が目的地の駐車場Ｐ▲３▼に入ったときに、図４に示す地図をディスプレイ２１に表示されるように設定されている。よって、ユーザは駐車場Ｐ▲３▼に到着したときに、最適な立寄り経路を確認して安心して徒歩での施設回りを行うことができる。
【００３７】
ところで、ユーザが選択した施設を包含する円ＣＲ内に駐車場が存在しないという場合も想定される。図６はユーザが選択した施設▲１▼から▲３▼を含む円内に駐車場が存在しない場合を例示した図である。このような場合は、経路判断部２４６は施設▲１▼〜▲３▼のそれぞれに最も近い駐車場を補完駐車場として特定する。図６の場合は、施設▲１▼については駐車場Ｐ▲１▼、施設▲２▼については駐車場Ｐ▲５▼、施設▲３▼については駐車場Ｐ▲６▼が補完駐車場となる。これらの補完駐車場を起点および終点として、前述したと同様の経路探索を実行する。円ＣＲ内に駐車場が存在しない状況でも、適切な駐車場および最短の立寄り経路が同様に提示されるので、ユーザにとって便利である。
【００３８】
図７は、ナビゲーション装置１により立寄り経路機能が起動された場合の一例を示したフローチャートである。なお、このフローチャートでは、ユーザが駐車場の選択条件まで入力できるようになっている。なお、この駐車場選択条件は、施設選択の場合と同様にリモコン１５で入力するようにすればよい。図７で、ユーザがリモコン１５により所望の立寄り施設を複数入力すると共に（Ｓ１０１）、施設内あるいは提携駐車場であるという選択条件をリモコン１５により入力する（Ｓ１０３）。ナビゲーション装置１は、立寄り施設を含む円を設定して、この円内に条件に合う駐車場が存在するか検索する（Ｓ１０５）。そして、円内に駐車場が存在するか、否かを判定する（Ｓ１０７）。円内に駐車場が存在するときには、各駐車場を起点および終点とした立寄りルートを探索する（Ｓ１１０）。
【００３９】
円内に駐車場が存在しないときには、各施設に最寄りの駐車場を検索して補完駐車場を定め（Ｓ１０９）、各補完駐車場を起点および終点とした立寄りルートを探索する（Ｓ１１０）。設定された全ルート（立寄り経路）について総経路長および歩行時間を設定し（Ｓ１１２）、全ルートの中から最短距離・時間となるルートを選択し（Ｓ１１４）、当該ルートで使用する最適な駐車場および立寄り経路と共に総経路長および所要時間をディスプレイ上に表示して本ルーチンを終了する。
【００４０】
以上詳述したところから明らかなように、本ナビゲーション装置１は通常のナビゲーションとは別に、ユーザが車両を降り徒歩で移動する場合の経路についても補助的なナビゲーションを提供する。よって、従来には無いユーザフレンドリなナビゲーション装置となる。また、ナビゲーション装置の基本的なハード構成を変更する必要がないので簡易に実現できる。
【００４１】
以上本発明の好ましい実施例について詳述したが、本発明は係る特定の実施形態に限定されるものではなく、特許請求の範囲に記載された本発明の要旨の範囲内において、種々の変形・変更が可能である。例えば、車両から離れたユーザに対しては、ユーザが携帯するＰＤＡ、携帯電話等のディスプレイ上に立寄り経路の情報を送信し、継続した案内が行えるように構成するならば、さらに好ましいナビゲーション装置となる。また、最短経路で使用する最適駐車場のみをディスプレイ上に表示するようにしてもよいし、最適駐車場と他の駐車場を識別可能にして全てディスプレイ上に表示するようにしてもよい。
【００４２】
【発明の効果】
以上詳述したところから明らかなように、本発明によれば、ディスプレイ上に最適な立寄り経路が示されるので、ユーザは最適な駐車場に車両を駐車でき、しかもこの駐車場から最短の立寄り経路を知ることもできる。よって、ユーザは車両を降りた後に所望した複数施設を効率良く回ることができる。
【図面の簡単な説明】
【図１】ユーザによる従来の立寄り行動を地図上に示した図である。
【図２】実施形態に係るナビゲーション装置の構成を示したブロック図である。
【図３】特に立寄り経路を提示する機能に着目したナビゲーション装置の機能ブロックで示した図である。
【図４】ナビゲーション装置により立寄り経路を探索した際にディスプレイに表示される地図画面を例示した図である。
【図５】各々の駐車場を起点および終点として経路探索部が抽出する立寄り経路例を示した図である。
【図６】ユーザが選択した施設を含む円内に駐車場が存在しない場合の対処を説明するために示した図である。
【図７】ナビゲーション装置により立寄り経路機能が起動された場合の一例を示したフローチャートである。
【符号の説明】
１        ナビゲーション装置
１３      操作パネル（指示入力手段）
１４      音声入力部（指示入力手段）
１５      リモコン（指示入力手段）
２０      画像表示制御部（表示制御手段）
２４      制御部（表示制御手段、駐車場検索手段、経路判断手段）
２４２    駐車場検索部
２４６    経路判断部
【図１】
2004286519.tif 000003
【図２】
2004286519.tif 000004
【図３】
2004286519.tif 000005
【図４】
2004286519.tif 000006
【図５】
2004286519.tif 000007
【図６】
2004286519.tif 000008
【図７】
2004286519.tif 000009